(57)【要約】【課題】ＣＤＱ本体からの排出コークス量が変動したとしてもボイラ入口の循環ガス温度を所定温度以上に保つことができ、しかも省エネルギー運転が可能なＣＤＱの循環ガス流量制御方法および循環ガス流量制御装置を提供すること。【解決手段】コークス炉から排出された赤熱コークスをＣＤＱ本体１に装入し、冷却ガスを吹き込んで、この冷却ガスと赤熱コークスをＣＤＱ本体１内で接触させて、冷却ガスを昇熱させ、この昇熱したガスをボイラ３に搬送して昇熱ガスの熱を回収して冷却ガスとし、再度循環させてＣＤＱ本体１の冷却ガスとして再利用するＣＤＱのガス循環方法において、冷却後の循環ガスをＣＤＱ本体に導入する循環ブロワ７の回転数を、前記ＣＤＱ本体から排出されるコークスの排出量に応じ制御する。【選択図】　　図１
2004067825.tif 000002
【特許請求の範囲】
【請求項１】
コークス炉から排出された赤熱コークスをＣＤＱ本体に装入し、冷却ガスを吹き込んで、この冷却ガスと赤熱コークスをＣＤＱ本体内で接触させて、冷却ガスを昇熱させ、この昇熱したガスをボイラに搬送して昇熱ガスの熱を回収して冷却ガスとし、再度循環させてＣＤＱ本体の冷却ガスとして再利用するＣＤＱのガス循環方法において、
冷却後の循環ガスをＣＤＱ本体に導入する循環ブロワの回転数を、前記ＣＤＱ本体から排出されるコークスの排出量に応じ制御することを特徴とするＣＤＱの循環ガス流量制御方法。
【請求項２】
コークス炉から排出された赤熱コークスをＣＤＱ本体に装入し、冷却ガスを吹き込んで、この冷却ガスと赤熱コークスをＣＤＱ本体内で接触させて、冷却ガスを昇熱させ、この昇熱したガスをボイラに搬送して昇熱ガスの熱を回収して冷却ガスとし、再度循環させてＣＤＱ本体の冷却ガスとして再利用するＣＤＱのガス循環装置において、
ＣＤＱ本体から排出されるコークス重量を測定する重量測定装置と、
この重量測定装置による排出コークス重量の測定値に基づいて排出コークス重量を制御する排出コークス重量制御装置と、
この排出コークス重量制御装置により、前記重量測定装置による排出コークス重量の測定値に基づいてＣＤＱ本体に導入する必要循環ガス流量を演算し、この演算値と、循環ダクトに配設した循環ガス流量測定装置により測定した循環ガス流量とによって、循環ガスをＣＤＱ本体に導入する循環ブロワの回転数を制御する回転数制御装置を配設したことを特徴とするＣＤＱの循環ガス流量制御装置。
【発明の詳細な説明】
【０００１】
【発明の属する技術分野】
本発明は、コークス乾式消火設備（Ｃｏｋｅ　Ｄｒｙ　Ｑｕｅｎｃｈｅｒ　本明細書ではＣＤＱという）における循環ガス流量制御方法および循環ガス流量制御装置に関するものである。
【０００２】
【従来の技術】
ＣＤＱでは、赤熱コークスをＣＤＱ本体のプレチャンバーに装入し冷却室に下降させ、冷却室内へ供給した冷却ガスである不活性ガスを赤熱コークスと熱交換させ、赤熱コークスの熱を回収した高温の不活性ガスをボイラに導入して熱交換した後、循環ブロワで再度冷却室へ圧送して循環させるようになっている。ボイラで熱交換により得られた蒸気は発電機に送られ電気エネルギーとして回収される。
【０００３】
従来のＣＤＱでは、排出コークス量（ＣＤＱ処理量）を低減させた場合、循環ガス流量も同様に減少させないとボイラ入口の循環ガス温度が所定の温度（約８００℃）より低くなり、ボイラから所定の温度・圧力の蒸気回収ができないため、その対策として特開平５−１４０５６２号公報に記載されているように、ＣＤＱ本体のプレチャンバーに空気を吹き込み、循環ガス中の可燃性ガスを燃焼させることにより循環ガスの温度を上昇させていた。
【０００４】
【発明が解決しようとする課題】
しかし、特開平５−１４０５６２号公報に記載の方法では、ＣＤＱ本体への空気吹込装置を設ける必要があるため、設備コストが高くなるとともに、設備の消費エネルギーも増加するという問題があった。
【０００５】
本発明が解決しようとする課題は、ＣＤＱ本体からの排出コークス量が変動したとしてもボイラ入口の循環ガス温度を所定温度以上に保つことができ、しかも省エネルギー運転が可能なＣＤＱの循環ガス流量制御方法および循環ガス流量制御装置を提供することにある。
【０００６】
【課題を解決するための手段】
本発明は、冷却後の循環ガスをＣＤＱ本体に導入する循環ブロワの回転数を、ＣＤＱ本体から排出されるコークスの排出量に応じ制御することによって上記課題を解決したものである。
【０００７】
すなわち、本発明のＣＤＱの循環ガス流量制御方法は、コークス炉から排出された赤熱コークスをＣＤＱ本体に装入し、冷却ガスを吹き込んで、この冷却ガスと赤熱コークスをＣＤＱ本体内で接触させて、冷却ガスを昇熱させ、この昇熱したガスをボイラに搬送して昇熱ガスの熱を回収して冷却ガスとし、再度循環させてＣＤＱ本体の冷却ガスとして再利用するＣＤＱのガス循環方法において、冷却後の循環ガスをＣＤＱ本体に導入する循環ブロワの回転数を、前記ＣＤＱ本体から排出されるコークスの排出量に応じ制御することを特徴とする。
【０００８】
本発明の循環ガス流量制御方法に使用する循環ガス流量制御装置は、ＣＤＱ本体から排出されるコークス重量を測定する重量測定装置と、この重量測定装置による排出コークス重量の測定値に基づいて排出コークス重量を制御する排出コークス重量制御装置と、この排出コークス重量制御装置により、前記重量測定装置による排出コークス重量の測定値に基づいてＣＤＱ本体に導入する必要循環ガス流量を演算し、この演算値と、循環ダクトに配設した循環ガス流量測定装置により測定した循環ガス流量とによって、循環ガスをＣＤＱ本体に導入する循環ブロワの回転数を制御する回転数制御装置を配設したものである。回転数制御装置としては、循環ブロワのモータの回転数を制御するインバータとすることが好ましい。
【０００９】
【発明の実施の形態】
以下、本発明の実施の形態を図面に示す実施例に基づき説明する。
【００１０】
図１は本発明の実施例を示すフロー図である。赤熱コークスを装入して冷却ガスである不活性ガスと熱交換して冷却するＣＤＱ本体１の上部は、排気ダクト２によりボイラ３に接続されている。さらにボイラ３は循環ブロワ７を介して循環ダクト４によりＣＤＱ本体１の下部に接続されている。この接続によりＣＤＱ本体１内で赤熱コークスと熱交換された高温の不活性ガスはＣＤＱ本体１から排気され、排気ダクト２を経てボイラ１に導入されて熱交換により冷却されて循環ブロワ５により循環ダクト４を経てＣＤＱ本体１に導入される、不活性ガス循環経路が形成される。
【００１１】
ＣＤＱ本体１の下部には、振動フィーダ制御装置１２によって制御される排出コークス振動フィーダ１１が設けられており、この排出コークス振動フィーダ１１の作動によって、ＣＤＱ本体１の下部からコークスが排出コークス秤量コンベア１３上に排出される。排出コークス秤量コンベア１３には重量測定装置１４が設けられており、この重量測定装置１４によって測定された排出コークス重量に基づいて、排出コークス重量制御装置１５が振動フィーダ制御装置１２を制御し、排出コークス重量を制御する。
【００１２】
循環ダクト４には、ボイラ３と循環ブロワ７との間に除塵のためのサイクロンが設けられ、その下流に循環ガス流量を測定するためのオリフィス６が設けられている。オリフィス６により測定した循環ガス流量は、循環ガス流量制御装置１０に入力される。循環ガス流量制御装置１０には、排出コークス重量の測定値に基づいて排出コークス重量制御装置１５により演算した必要循環ガス流量も入力され、循環ガス流量制御装置１０は、測定された循環ガス流量と演算された必要循環ガス流量との差分信号をインバータ９に送信し、インバータ９は、その差分信号に基づいて、循環ガス流量が必要循環ガス流量となるように循環ブロワ用モータ８の回転数を制御する。
【００１３】
図２は、排出コークス重量と必要循環ガス流量との関係を示す図である。同図に示すような関係を予め求めておき、上述のように排出コークス重量制御装置１５によって、排出コークス重量の測定値に対応する必要循環ガス流量を演算し、インバータ９によって、循環ガス流量が必要循環ガス流量となるように循環ブロワ用モータ８の回転数を制御する。このような制御を行うことによって、図３に示すように、排出コークス重量の増減に応じて循環ガス流量を増減させることができ、ボイラ入口の循環ガス温度を常に所定温度以上に保つことができる。
【００１４】
以上の実施例では、循環ブロワの回転数を制御する回転数制御装置として、循環ブロワ用モータの回転数を制御するインバータを使用したが、他の回転数制御装置、例えば流体継手を利用した循環ブロワの回転数制御装置を使用することもできる。ただし、流体継手は継手出側の回転数を変えるもので循環ブロワ用モータの回転数を変えるものではないので、循環ブロワの負荷に対して循環ブロワ用モータの回転数を変えることはできない。したがって、省エネルギーの観点からは、循環ブロワ用モータの回転数を制御するインバータを使用することが好ましい。
【００１５】
【発明の効果】
本発明では、冷却後の循環ガスをＣＤＱ本体に導入する循環ブロワの回転数を、ＣＤＱ本体から排出されるコークスの排出量に応じ制御するので、ＣＤＱ本体からの排出コークス重量が変動したとしてもボイラ入口の循環ガス温度を所定温度以上に保つことができる。しかも、従来のようにＣＤＱ本体への空気吹込装置を設ける必要がないので省エネルギー運転が可能である。
【図面の簡単な説明】
【図１】本発明の実施例を示すフロー図である。
【図２】排出コークス重量と必要循環ガス流量との関係を示す図である。
【図３】本発明の実施例における排出コークス重量と循環ガス流量との関係を示す図である。
【符号の説明】
１　ＣＤＱ本体
２　排気ダクト
３　ボイラ
４　循環ダクト
５　サイクロン
６　オリフィス
７　循環ブロワ
８　循環ブロワ用モータ
９　循環ブロワ用インバータ
１０　循環ガス流量制御装置
１１　排出コークス振動フィーダ
１２　振動フーイーダ制御装置
１３　排出コークス秤量コンベア
１４　重量測定装置
１５　排出コークス重量制御装置
【図１】
2004067825.tif 000003
【図２】
2004067825.tif 000004
【図３】
2004067825.tif 000005